(57)【特許請求の範囲】
【請求項１】
所定の間隔を空けて左右一対で設けられた作溝部と、該作溝部の内側には左右一対で設けられた覆土部を備え、該作溝部および該覆土部の前方の中央には種苗の散布口を備え、該作溝部は、進行方向に刃先を向けた刃板と、該刃板の後端部に連接され、斜め外側後方へ広がるように形成された撥土板とを備えていることを特徴とするサトウキビ植付け機。
【請求項２】
前記刃板には撥土板との連接部から所定の範囲において開口部が形成されていることを特徴とする請求項１に記載のサトウキビ植付け機。
【請求項３】
前記作溝部および前記覆土部は、それらの間隔および高さがそれぞれ調整可能な方法により取り付けられていることを特徴とする請求項１または２に記載のサトウキビ植付け機。
【請求項４】
請求項１ないし３のいずれかに記載のサトウキビ植付け機により、サトウキビの種苗を散布する工程と、散布された種苗の両側に該作溝部により排水用溝を形成する工程と、排水用溝を形成する際に掘り起こされた土の一部を該覆土板によりサトウキビの種苗の上に被覆する工程とを有することを特徴とするサトウキビの植付け方法。
【発明の詳細な説明】
【技術分野】
【０００１】
本発明は、排水性の悪い土地における効果的なサトウキビの植付け方法と植付け機に関する。
【背景技術】
【０００２】
サトウキビの圃場は水はけの良さが求められるが、排水性の悪い土地に圃場がある場合、近年の大雨被害などの影響により、サトウキビの苗が水没して育たない場合がある。
【０００３】
特に、サトウキビは台風が多い地方で育てられるため、強風に耐えられるように、土壌に所定の深さの溝を掘って、その溝の中に苗をサトウキビの苗を植付けることにより地中深くに根付かせることが一般的である（特許文献１〜３）。
【０００４】
このように、苗が地中深く植えられている場合、排水性の悪い土地の場合は雨天が続くと溝底部に水が溜まり、種キビが腐るなどして発芽不良が発生することがあった。
【０００５】
そこで、特許文献４では、植付け用の溝の底にさらに深い排水溝を形成することにより、植付け用溝内の排水性を向上させるためのサトウキビ移植機が開示されている。
【０００６】
しかしながら、このように植付け用溝内に排水溝を形成しても圃場全体の排水性が向上するわけではなく、その効果はあくまでも部分的なものに過ぎないため、近年の大雨被害などに対応できるものではなかった。
【０００７】
一方、圃場の排水性を改善させるための排水溝を作成するカットドレーン（「カットドレーン」は登録商標）などの穿孔暗渠機も知られているが、作溝作業を植付け作業とは別途行う必要もあり作業効率が悪かった。
【先行技術文献】
【特許文献】
【０００８】
【特許文献１】特開２０１９−１２２３２０
【特許文献２】特開２００４−８１７５
【特許文献３】特開２０１０−２６８７８８
【特許文献４】特開２０１７−１９２３２７
【発明の概要】
【発明が解決しようとする課題】
【０００９】
そこで本発明は、従来のサトウキビの植付け方法および植付け機のかかる欠点を克服し、排水性の悪い圃場において効果的に排水が可能であり、大雨などの影響を最小限に抑えてサトウキビの収量を維持することが可能なサトウキビの植付け方法および植付け機の提供を課題とするものである。
【課題を解決するための手段】
【００１０】
本発明は、上記課題を解決するものであり、左右一対で設けられた作溝部および覆土部を備えたサトウキビ植付け機により、サトウキビの種苗を散布する工程と、散布された種苗の両側に該作溝部により排水用溝を形成する工程と、排水用溝を形成する際に掘り起こされた土の一部を該覆土板によりサトウキビの種苗の上に被覆する工程とを有することを特徴とするサトウキビの植付け方法である。
【００１１】
また、本発明は、サトウキビの種苗は作溝されていない部分の圃場に散布されることを特徴とするサトウキビの植付け方法である。
【００１２】
また本発明は、所定の間隔を空けて左右一対で設けられた作溝部と、該作溝部の内側には左右一対で設けられた覆土部を備え、該作溝部および該覆土部の前方の中央には種苗の散布口を備えたサトウキビ植付け機である。  
【００１３】
さらに本発明は、前記作溝部および前記覆土部は、それらの間隔および高さがそれぞれ調整可能な方法により取り付けられていることを特徴とするサトウキビ植付け機である。
【発明の効果】
【００１４】
本発明にかかるサトウキビの植付け方法および植付け機によると、サトウキビの種苗は従来のように圃場内に深く植え付けられることがなく、大雨などで生じた余分な水は排水用溝によって排水されるため、圃場の排水性は著しく改善する。
【００１５】
また、本発明にかかるサトウキビの植付け方法および植付け機によると、排水用溝の作溝工程とサトウキビの植付け工程を同時に行うことができるため、作業効率も向上する。
【図面の簡単な説明】
【００１６】
【図１】本発明に係るサトウキビ植付け機の下部の正面図。
【図２】本発明に係るサトウキビ植付け機の下部の平面図。
【図３】本発明に係るサトウキビ植付け機の作溝部の斜視図。
【図４】本発明に係るサトウキビ植付け機による植付け作業の様子を模式的に表しもの。
【発明を実施するための形態】
【００１７】
以下、本発明のサトウキビの植付け方法および植付け機の実施態様を、図面に基づいて具体的に説明する。なお、本発明はこれら実施態様に何ら制約されるものではない。
【００１８】
図１は、本発明にかかるサトウキビ植付け機の下部正面図、図２は同下部平面図である。本発明のサトウキビ植え付け機は、サトウキビの種苗を収容可能なホッパー（図示せず）を備え、トラクターなどにより牽引されて圃場を走行しながら該ホッパー内のサトウキビの種苗を所定間隔で落下させて散布するものである。
【００１９】
本発明のサトウキビ植付け機の下部には、所定の間隔を空けて左右二条に排水用溝を形成するための作溝部１が左右一対に形成されている。また、左右の作溝部１の内側には、散布されたサトウキビの種苗に覆土するための覆土部２が左右一対に形成されている。
【００２０】
作溝部１および覆土部２はそれぞれ、支持部３、４を介してフレーム５に対し取り付けられている。なお、フレーム５に対する取り付け方法は任意であるが、作溝部１および覆土部２の間隔および高さがそれぞれ調整可能な方法により取り付けることが好ましい。
【００２１】
フレーム５は、フレーム７に対して取り付けられている。フレーム７の後端には鎮圧用タイヤ６が設けられており、かかる鎮圧用タイヤ６により、サトウキビの種苗の上にかけられた土を鎮圧することができる。
【００２２】
作溝部１は、図３に示すように、進行方向に刃先１２を向けた刃板１１と、該刃板１１の後端部に連接され、斜め外側後方へ広がるように形成された撥土板１３とを備え、刃板１１には撥土板１３との連接部から所定の範囲において開口部１４が形成されている。
【００２３】
左右一対に設けられた作溝部１は、それらの刃先１２の間隔が撥土板１３の後端部の間隔よりも狭くなるように、平面視でハの字形状になるように設けられ、さらに、少なくとも刃板１１と撥土板１３の下部が鎮圧用タイヤ６よりも下方に位置する高さになるようにフレーム５に取り付けられている。作溝部１の取付け高さにより作溝される排水用溝の深さが決まるが、かかる取付け高さは圃場の水はけの程度などを考慮して任意に決めることができる。
【００２４】
覆土部２は、本実施多様では略矩形の板状に形成されており、左右の覆土部２の間の進行方向側の間隔が広くなるように平面視で逆ハの字形状になるように設けられ、さらに、圃場Ｇからは所定の高さに位置するようにフレーム５に取り付けられている。
【００２５】
サトウキビの種苗の落下口（図示せず）は、最終的に鎮圧用タイヤ６が通る中央にサトウキビの種苗が散布されるように１箇所設けられており、作溝部１および覆土部２は、サトウキビの種苗の落下口よりも後方に設けられている。このように、サトウキビの種苗の落下口が作溝部１および覆土部２よりも前方に位置することにより、サトウキビの種苗は作溝されている圃場よりも前方において散布されることになる。
【００２６】
次に、図４により、本発明のサトウキビ植付け機による植付け作業方法について説明する。本発明のサトウキビ植え付け機は、作溝されていない部分の圃場Ｇに直接種苗を散布する。散布方法については、従来の植付け機による公知の方法を採用することができる。
【００２７】
サトウキビの種苗Ｓは、中央に一列で、作溝部１および覆土板２よりも前方に散布される。すなわち、種苗Ｓが地上に落下したときには、すでにその後方において、作溝部１が排水用溝Ｄを形成している。その結果、散布された種苗Ｓの両側には左右二条の排水用溝Ｄが形成されることになる。
【００２８】
作溝部１は、その両側に掘り起こした土Ｍを除けながら排水用溝Ｄを形成するが、このとき、左右の作溝部１の内側に除けた土の一部は覆土板２によりあらかじめ中央において散布されたサトウキビの種苗Ｓの上にかけられる。
【００２９】
このようにしてサトウキビの種苗Ｓの上にかけられた土Ｍは、さらにその後方から来る鎮圧用タイヤ６により上から鎮圧され、これにより、排水用溝Ｄの作溝工程とサトウキビの植付け工程が完了する。    
【００３０】
かかる植付け方法により、サトウキビの種苗Ｓは従来のように圃場Ｇ内に深く植え付けられることがなく、大雨などで生じた余分な水は排水用溝Ｄによって排水されるため、圃場の排水性は著しく改善するとともに、サトウキビの発芽不良等も防ぐことができる。
【００３１】
また、かかる植付け方法によると、排水用溝Ｄの作溝工程とサトウキビの植付け工程を同時に行うことができるため、作業効率も向上する。
【符号の説明】
【００３２】
１  …  …  作溝部
２  …  …  覆土板      
３  …  …  支持部
４  …  …  支持部
５  …  …  フレーム
６  …  …  鎮圧用タイヤ
７  …  …  フレーム
１１  …  …  刃板
１２  …  …  刃先
１３  …  …  撥土板
１４  …  …  開口部
Ｓ  …  …  サトウキビ種苗
Ｇ  …  …  圃場
Ｄ  …  …  排水用溝
Ｍ  …  …  土
【要約】      （修正有）【課題】排水性の悪い圃場において効果的に排水が可能であり、大雨などの影響を最小限に抑えてサトウキビの収量を維持することが可能なサトウキビの植付け方法および植付け機を提供する。【解決手段】左右一対で設けられた作溝部１および覆土部２を備えたサトウキビ植付け機により、サトウキビの種苗Ｓを散布する工程と、散布された種苗の両側に該作溝部により排水用溝Ｄを形成する工程と、排水用溝を形成する際に掘り起こされた土Ｍの一部を該覆土板２によりサトウキビの種苗の上に被覆する工程とを有することを特徴とするサトウキビの植付け方法。【選択図】図４【図１】
0006980308.tif 000002
【図２】
0006980308.tif 000003
【図３】
0006980308.tif 000004
【図４】
0006980308.tif 000005